(57)【要約】【課題】  垂れ幕をしっかりとした状態で綺麗に展張し、垂れ幕の交換等も簡単な操作で行えるようにし、また簡素な構成の垂れ幕装置を提供する。【解決手段】  壁面等に垂直姿勢で固定される枠体状の本体２に対し、上下にスライド自在な昇降体４を設け、この昇降体４の昇降を巻上げハンドル８によるワイヤ１２の巻上げ操作によって行うようにする。そして本体２の下端部に、垂れ幕Ｔの下端を保持する垂れ幕下端保持機構６を設け、昇降体４の上端部に、垂れ幕Ｔの上端を保持する垂れ幕上端保持機構７を設ける。また、上昇させた昇降体４の下端部を支持する支持部材１１を回動軸１０に取り付け、回動軸１０の回動によって昇降体４の昇降面から出没自在になるようにする。【選択図】        図１
0003137253.tif 000002
【実用新案登録請求の範囲】
【請求項１】
垂れ幕を展張して保持する垂れ幕装置であって、壁面等に固定される本体と、この本体に対して昇降機構によって昇降自在な昇降体を備え、前記本体の下方部には、垂れ幕の下端を保持する垂れ幕下端保持機構が設けられるとともに、前記昇降体の上部には、垂れ幕の上端を保持する垂れ幕上端保持機構が設けられ、また、前記本体の下端部には、前記昇降体をワイヤの巻上げによって昇降させるための巻上げハンドルが着脱自在にされ、また、前記本体には、上昇させた昇降体の下端部を支持することの出来る任意数の支持部材が、昇降体の昇降面に対して出没自在に設けられることを特徴とする垂れ幕装置。
【請求項２】
前記昇降機構は、本体の上部に設けられる複数の滑車と、本体の下部に着脱自在な前記巻上げハンドルと、該巻上げハンドルから上方に延出して前記滑車を経由した後、下方の前記昇降体に連結されるワイヤを備えたことを特徴とする請求項１に記載の垂れ幕装置。
【請求項３】
前記支持部材は、前記本体に対して垂直軸周りに回動自在な回動軸に取り付けられ、この回動軸の回動によって前記支持部材が昇降体の昇降面に対して出没自在にされるとともに、この支持部材は、回動軸の下方に設けられる高さ調整機構によって高さ調整可能にされることを特徴とする請求項１又は請求項２に記載の垂れ幕装置。
【請求項４】
前記垂れ幕下端保持機構と垂れ幕上端保持機構は、垂れ幕の下端部と上端部に形成されるそれぞれの袋状部に棒状部材を挿入し、この棒状部材が挿入される袋状部を、本体下端に設けた下方溝と昇降体上端に設けた上方溝にそれぞれ嵌入させることにより、垂れ幕の下端部と上端部を保持するようにされることを特徴とする請求項１乃至請求項３のいずれか１項に記載の垂れ幕装置。
【請求項５】
前記本体には、垂れ幕を展張した際に、前記巻上げハンドル側に巻き取られたワイヤを収容するワイヤ収容部が設けられることを特徴とする請求項１乃至請求項４のいずれか１項に記載の垂れ幕装置。
【請求項６】
前記本体の周縁部には、垂れ幕を展張した状態で見栄えを良くするための化粧枠が設けられることを特徴とする請求項１乃至請求項５のいずれか１項に記載の垂れ幕装置。
【考案の詳細な説明】
【技術分野】
【０００１】
本考案は、例えば建物の外壁や内壁等に垂れ幕を展張する際に便利な垂れ幕装置に関する。
【背景技術】
【０００２】
従来、例えばデパートの内壁や外壁に広告用の垂れ幕を展張したり、建築工事等において安全スローガン等を表示した垂れ幕を展張するような際、垂れ幕の交換に危険な作業を伴わないよう、地上で交換できるようにした技術として、ロールスクリーン型垂れ幕に昇降用の線条を取り付け、線条を所定の高さに取り付けた巻取りリールに巻き取らせるようにすることで、交換時等には、線条を引き出しながらロールスクリーン型垂れ幕を地上まで降下させるようにした技術（例えば、特許文献１参照。）などが知られており、また、垂れ幕による表示効果を高め、また、その幕を容易に交換できるようにした技術として、複数の幕を引き出し可能な横軸を相接近させて設置し、各横軸を、本体に設けられる受軸に着脱可能に軸承するような技術（例えば、特許文献２参照。）なども知られている。
【特許文献１】特開平１０−１０５０９８号公報
【特許文献２】登録実用新案公報第３０２２６８６号公報
【考案の開示】
【考案が解決しようとする課題】
【０００３】
ところで、上記のような垂れ幕はいずれもロールスクリーン型の垂れ幕で、必要に応じてロールに巻き込んで垂れ幕を収納できるようにしたものであり、垂れ幕を展張したままにしておいて問題のない場合等においては、装置構成が複雑で設備費用もかかるという問題がある。
一方、垂れ幕を上から吊下げただけの状態にした場合などでは、例えば風が吹いたりした場合に下端部がハタめくようになって垂れ幕としての機能を果たさなくなるような不具合があった。
【０００４】
そこで本考案は、垂れ幕をハタめかさないようしっかりとした状態で展張できるようにし、垂れ幕の交換等も簡単な手順で行えるようにするとともに、簡素な構成の垂れ幕装置を提供することを目的とする。
【課題を解決するための手段】
【０００５】
上記目的を達成するため本考案は、垂れ幕を展張して保持する垂れ幕装置として、壁面等に固定される本体と、この本体に対して昇降機構によって昇降自在な昇降体を設け、前記本体の下方部には、垂れ幕の下端を保持する垂れ幕下端保持機構を設けるとともに、前記昇降体の上部には、垂れ幕の上端を保持する垂れ幕上端保持機構を設け、また、前記本体の下端部には、前記昇降体をワイヤの巻上げによって昇降させるための巻上げハンドルを着脱自在にし、また、前記本体には、上昇させた昇降体の下端部を支持することの出来る任意数の支持部材を、昇降体の昇降面に対して出没自在に設けるようにした。
【０００６】
そして、垂れ幕の下端部を、本体の下方部の垂れ幕下端保持機構で保持するとともに、垂れ幕の上端部を昇降体の上部の垂れ幕上端保持機構で保持し、昇降体を上昇させることによって垂れ幕を展張し、その後、昇降体の下方で支持部材を前方に突出させて昇降体が降下しないようその下端部を支持する。
このような構成により、垂れ幕の展張がはしご等を使用しなくても容易に行われるとともに、装置構成が簡素となり、しかも、垂れ幕の展張時にのみ巻上げハンドルを装着して昇降体を巻き上げた後、昇降体を上昇させて展張が完了した時点で、巻上げハンドルを取り外せば、見た目がすっきりと纏まり、見栄えが良い。
ここで、支持部材の数等は任意であるが、少なくとも左右に２個程度設ければ安定した状態で昇降体を支えることができる。
【０００７】
また、本考案では、前記昇降機構として、本体の上部に設けられる複数の滑車と、本体の下部に着脱自在な前記巻上げハンドルと、該巻上げハンドルから上方に延出して前記滑車を経由した後、下方の前記昇降体に連結されるワイヤから構成した。
【０００８】
そして、このような構成により昇降機構を簡素に構成することができるが、この際、前記支持部材を、前記本体に対して垂直軸周りに回動自在な回動軸に取り付け、この回動軸の回動によって前記支持部材が昇降体の昇降面に対して出没自在になるようにするとともに、この支持部材を、回動軸の下方に設けた高さ調整機構によって高さ調整可能にすれば、一層簡素に構成できる。
また、支持部材の高さを高さ調整機構によって調整できるようにすることで、常に昇降体を水平な状態で支持することができる。
【０００９】
また、本考案では、前記垂れ幕下端保持機構と垂れ幕上端保持機構を、垂れ幕の下端部と上端部に形成されるそれぞれの袋状部に棒状部材を挿入し、この棒状部材が挿入される袋状部を、本体下端に設けた下方溝と昇降体上端に設けた上方溝にそれぞれ嵌入させることにより、垂れ幕の下端部と上端部が保持されるようにした。
【００１０】
このように、垂れ幕の下端部と上端部に袋状部を設け、この袋状部に棒状部材を挿入して本体下端の下方溝と昇降体上端の上方溝に嵌入させて昇降体を上昇させれば、垂れ幕の上端と下端のすべての部分を引っ張るようにテンションをかけることができ、綺麗に展張できる。また、垂れ幕下端保持機構と垂れ幕上端保持機構が簡素に構成できる。
【００１１】
また本考案では、前記本体には、垂れ幕を展張した際に、前記巻上げハンドル側に巻き取られたワイヤを収容するワイヤ収容部を設けるようにし、また、前記本体の周縁部には、垂れ幕を展張した状態で見栄えを良くするための化粧枠を設けるようにした。
このようなワイヤ収容部や、化粧枠により、垂れ幕を展張した状態の見た目が綺麗ですっきりと纏まる。
【考案の効果】
【００１２】
壁面等に固定される本体に対して昇降自在な昇降体を設け、昇降体に設けた垂れ幕上端保持機構と、本体に設けた垂れ幕下端保持機構によって垂れ幕の上端と下端を保持した状態で昇降体を上昇させて垂れ幕を展張し、支持部材を突出させて昇降体下端部を支持するような垂れ幕装置を構成することにより、簡素な構成でありながら容易に展張作業を行うことができ、しかも、垂れ幕をしっかりとした状態で綺麗に展張することができる。この際、昇降機構として、複数の滑車とワイヤを使用することにより簡素な構成となり、またこの際、支持部材を回動軸に設ければ、一層簡素に構成でき、また、垂れ幕下端保持機構と垂れ幕上端保持機構として、垂れ幕の下端部と上端部に形成した袋状部に棒状部材を挿入し、下方溝や上方溝に嵌入させることで、垂れ幕を綺麗に展張することができ、しかも、垂れ幕の装着作業を楽に行うことができる。
また、本体にワイヤ収容部を設けたり、本体周縁部に化粧枠を設けることにより、展張時の見栄えを良くすることができる。
【考案を実施するための最良の形態】
【００１３】
本考案の実施の形態について添付した図面に基づき説明する。
ここで図１は本発明に係る垂れ幕装置の第１実施例の主要構成部品等を説明するための正面図、図２は第１実施例の昇降体を本体から分離させた状態の説明図、図３は第１実施例の昇降体の下端部を支持する支持部材の説明図、図４は第１実施例の垂れ幕下端保持機構と垂れ幕上端保持機構及び回動軸に形成される高さ調整機構の説明図、図５は高さ調整機構を改良した垂れ幕装置の第２実施例の正面図、図６は第２実施例の高さ調整機構の要部拡大図で（ａ）は正面図、（ｂ）は側面図、（ｃ）は底面図、図７は第２実施例の回動軸の下端部の説明図、図８は第２実施例の高さ調整機構により回動軸を上方に移動させた場合の説明図、図９、図１０は化粧枠の説明図、図１１は垂れ幕を展張した状態の正面図である。
【００１４】
本考案に係る垂れ幕装置は、垂れ幕をしっかりとした状態で綺麗に展張でき、垂れ幕の交換等も簡単な手順で行えるようにするとともに、簡素な構成の垂れ幕装置を提供できるようにされ、はしごや脚立等を使用することなく、地上で展張操作が行えるようにされている。
【００１５】
すなわち、本考案の第１実施例の垂れ幕装置１は、図１、図２に示すように、矩形状の枠体から構成され且つ壁面等に垂直姿勢で固定される本体２と、この本体２の両側部に設けられるスライドガイド３に沿って昇降自在な昇降体４を備えており、前記本体２には、昇降体４を昇降させるための昇降機構５が設けられている。
【００１６】
そして、本体２の下方部には、垂れ幕の下端部を保持する垂れ幕下端保持機構６が設けられるとともに、昇降体４の上部には、垂れ幕の上端部を保持する垂れ幕上端保持機構７が設けられ、また、本体２の下端中央部には、昇降機構５の一構成部品としての巻上げハンドル８が着脱自在にされている。
【００１７】
また、本体２には、垂直軸周りに回動自在な回動軸１０が左右に二本づつ合計四本設けられており、各回動軸１０の上方には、上昇した昇降体４の下端部を支えることのできる支持部材１１が取り付けられており、この支持部材１１は、回動軸１０の回動によって、昇降体４の昇降面から前方に出没自在にされている。そして、この支持部材１１は、昇降体４の昇降面から前方に突出すると、昇降体４の下端部を支えることができ、昇降体４の昇降面から後方に没入すると、昇降体４の昇降と干渉しない位置に退避できるようにされている。
【００１８】
また、本体２の下方部には、後述するワイヤ１２を収容するためのワイヤ収容部１３が設けられており本実施例ではパイプの中間部を半円形に折り曲げて、パイプの開口部を下向きにした形態で配置されている。
【００１９】
前記本体２は、周囲四辺の外枠の内部に複数の縦桟と横桟が格子状に配設された形状とされている。そして、外枠の左右両側の内部側に前記スライドガイド３が設けられ、このスライドガイド３の内側上端と内側下端には、昇降体４の昇降位置を規制するストッパｓが設けられている。
【００２０】
前記昇降体４は、背面側の骨材１４の前面にプレート１５が取り付けられて一体に構成されるとともに、図２に示すように、上下二本の横向きの骨材１４のうち下方の骨材１４の下方には、左右二ヶ所に懸吊部１６が連結され、この懸吊部１６に設けられた連結金具１７に、前記ワイヤ１２が連結可能にされている。また、左右二本の縦向きの骨材１４の外側には、前記スライドガイド３に沿って円滑に摺動するための輪切りにしたパイプｐ（図２）が取り付けられており、このパイプｐが昇降体４の上限、下限位置で前記ストッパｓに係合するようにされている。
また、前記垂れ幕上端保持機構７はプレート１５の上部に設けられている。
【００２１】
前記昇降機構５は、本体２の上部に取り付けられる左右二個、合計四個の滑車１８と、前記本体２の下端中央部に装着される巻上げハンドル８と、この巻上げハンドル８から上方に延出した後、左右の滑車１８に向けて分岐し、その後それぞれ下方に垂下して前記昇降体４の懸吊部１６の連結金具１７に連結されるワイヤ１２から構成されており、巻上げハンドル８を手動で回転操作することにより、ワイヤ１２を巻き上げて昇降体４を昇降させることができるようにされている。
因みに、巻上げハンドル８は、本体２の外枠下辺側に固定される装着部２０の嵌合孔にアームの上端が差込み自在にされている。
【００２２】
前記垂れ幕下端保持機構６は、図４（ｂ）に示すように、本体２の外枠下辺の下方に前方に張り出して取り付けられる溝形成部材２１と、この溝形成部材２１によって形成される上向き開放型の下方溝ｍ１の上面の一部を遮るように前方に張り出す張出し部材２２を備えており、また前記垂れ幕上端保持機構７は、前記プレート１５上に固定される溝形成部材２３によって形成される上向き開放側の上方溝ｍ２を備えている。
【００２３】
一方、垂れ幕Ｔの下端部と上端部には、袋状部ｆ１、ｆ２（図４（ｂ））が形成されており、下方の袋状部ｆ１には、帯板状の棒状部材２４が挿入されて下方溝ｍ１内に嵌入されるとともに、その外側の下方溝ｍ１内に帯板状の詰込部材２５が嵌入されるようになり（図４（ａ））、その状態で、棒状部材２４が挿入された袋状部ｆ１が、張出し部材２２に邪魔されて、垂れ幕Ｔにテンションがかかっても下方溝ｍ１から飛び出すことがないようにされている。
【００２４】
また、上方の袋状部ｆ２には、帯板状の棒状部材２６が挿入された後、折り返すような状態で昇降体４上部の上方溝ｍ２内に嵌入させるようになっている。この場合は、垂れ幕Ｔが折り返されているため、垂れ幕Ｔに下方に向けた引張り力がかかっても、棒状部材２６が挿入された袋状部ｆ２が上方溝ｍ２から飛び出ることはない。
【００２５】
前記回動軸１０の上部側には、図３に示すように、支持部材１１が一体的に取り付けられており、この支持部材１１は、回動軸１０の回動によって前方に突出した状態にされると（実線の状態）、昇降体４の昇降面より前方に飛び出して、下方の横向きの骨材１４の下端部を支持できるようにされ、回動軸１０がそれから９０度程度回動すると（破線の状態）、昇降体４の昇降面より後方に退避するようにされている。
【００２６】
また、回動軸１０の下部側には、図４（ａ）に示すような高さ調整機構２７が設けられ、この高さ調整機構２７により、支持部材１１の高さ位置を調整できるようにされている。この高さ調整機構２７は、二本に分離した軸端部の逆ネジ部に雌ネジ胴２８を螺合させた形態のターンバックル式に構成され、雌ネジ胴２８を回動させることにより、支持部材１１の高さを変えることができるようにされている。
【００２７】
前記ワイヤ収容部１３（図１、図２）は、昇降体４を上昇させた際に、巻上げハンドル８に巻き取られたワイヤ１２を収容するものであり、垂れ幕Ｔを展張した後、巻上げハンドル８を本体２側から取り外し、巻上げハンドル８に巻付いていたワイヤ１２を、ワイヤ収容部１３のパイプ端部から押し込んで収容する。
このため、一端側の開口部を巻上げハンドル８に近接させて配置している。
【００２８】
以上のような第１実施例の垂れ幕装置１の高さ調整機構２７は、後述するように、垂れ幕Ｔを展張した後は、雌ネジ胴２８が垂れ幕Ｔの裏側に位置するため、高さを微調整することができなくなる。
そこで、次に、高さ調整機構２７を改良した第２実施例の垂れ幕装置１について、図５乃至図８に基づいて説明する。
【００２９】
この高さ調整機構２７は、図６にも示すように、本体２外枠の下辺を上下に遊挿状に貫く一対の調整ネジ棒３２と、この調整ネジ棒３２が下方に抜け落ちるのを防止するロックナット３３及びストッパ座金３４と、調整ネジ棒３２の上部側のネジ部に螺合する一対の雌ネジ筒３５と、これら雌ネジ筒３５を一体に連結する連結ブロック３６を備えており、前記調整ネジ棒３２の下端部の六角頭部３２ｔには、図６（ｃ）にも示すような一対の補助片３８が外側側方に張り出すように固着され、調整ネジ棒３２の六角頭部３２ｔを手で回転させる際に、容易に回転操作が行えるようにされている。
また、前記連結ブロック３６の中央部には、回動軸１０の下端部が遊挿しており、また、連結ブロック３６の中央部を下方に遊挿する回転軸１０の下端部にはネジ部が形成され、このネジ部に上部角筒３７がロックナットで一体に固着されている。
【００３０】
一方、前記一対の調整ネジ棒３２に挟まれる中間部分の本体２外枠の下辺には貫通孔ｋ（図６（ｃ））が設けられており、この貫通孔Ｋを遊挿して操作軸４０が設けられている。そして、この操作軸４０も、上部側のネジ部に螺合して固定されるロックナット３３やストッパ座金３４によって下方に抜け落ちるのを防止されるとともに、ロックナット３３の上部には、下部角筒４１が一体に固着され、この下部角筒４１の筒内には、前記上部角筒３７がスライド可能に嵌合している（図７参照。）。また、操作軸４０の下端部には、固定用のブレード４２が半径方向に張り出して固着されており、操作軸４０の回転操作が容易に行えるようにされるとともに、この固定用ブレード４２の中央部には、固定用の穴ａが設けられている。
【００３１】
一方、本体２外枠の所定部には、固定用ブレード４２に係合して回動軸１０の回動位置を固定するための位置決め管４３が本体２外枠に固定されており、操作軸４０が９０度程度回転して固定用ブレード４２の穴ａと位置決め管４３の筒孔が一致すると、図７（ｂ）に示すようなトグルピン等の位置決め部材４４を、位置決め管４３や穴ａを通して挿し込み、位置決め部材４４の先端を略直角に折り曲げて抜脱不能にして固定できるようにされている。
【００３２】
以上のような第２実施例の高さ調整機構２７の操作要領等について説明する。
支持部材１１の高さを調整するときは、作業者が手作業により左右の調整ネジ棒３２を同時に回転させることにより連結ブロック３６を介して回動軸１０を上下動させる。この際、六角頭部３２ｔには補助片３８が張り出して設けられているため操作しやすい。
また、この操作は、垂れ幕Ｔが展張される前でも、展張された後でもどちらでも操作できる。因みに、図５の状態は回動軸１０が一番下がった状態であるが、図８は回動軸１０が上昇した状態である。
【００３３】
次に、支持部材１１を出没させるための回動軸１０の回動は、操作軸４０を介して行う。すなわち、固定用ブレード４２を介して操作軸４０を軸周りに９０度程度回転させると、この回転は、下部角筒４１と上部角筒３７の嵌合部を介して回動軸１０に伝達され、回動軸１０も一体に回転する。そして、回動軸１０が９０度程度回転して支持部材１１が昇降面から突出すると、固定用ブレード４２の穴ａと位置決め管４３の筒が一致しておくようにし、この状態で、位置決め管４３から穴ａを通して位置決め部材４４を挿し込み固定する。
【００３４】
ところで、上記のような本体２の外枠四辺には、断面Ｌ字型の化粧枠３０が取り付けられて見栄えを良くするようにされているため、この化粧枠３０について図９及び図１０に基づき説明する。
【００３５】
本体２の外枠四辺に取り付けられる化粧枠３０には、最初から外枠に固定されている化粧枠３０ａと、垂れ幕Ｔの展張が終えた後に外枠に装着される化粧枠３０ｂ、３０ｃがある。垂れ幕Ｔの展張が終えた後に装着される化粧枠３０ｂ、３０ｃは、巻上げハンドル８を脱着するため、当初から外枠に固定しておくと不具合が生じるためである。
【００３６】
図９（ａ）のＡ−Ａ線断面の箇所は、当初から本体２外枠に化粧枠３０ａを固定している箇所であり、上辺については全域、左右辺については、略半分より上方の箇所である。そしてこの箇所については、図９（ｂ）に示すように、ネジ等により化粧枠３０ａを本体外枠２に固定している。
【００３７】
図９（ａ）のＢ−Ｂ線断面の箇所、すなわち本体２外枠の下辺については、化粧枠３０ｂが着脱自在にされており、本実施例では、図９（ｃ）（ｄ）に示すように、本体２外枠に長孔ｈを形成するとともに、化粧枠３０ｂの裏側にクリップｃを固定しておき、このクリップｃを長孔ｈの周縁部に係止できるようにしている。
【００３８】
また、本体２外枠の左右辺の下方部分、すなわち図９（ａ）のＣ−Ｃ線断面の箇所では、図１０（ａ）に示すように、本体２外枠に長孔ｈを二箇所設ける一方、化粧枠３０ｃの裏側にもクリップｃを二箇所固定し、図１０（ｂ）（ｃ）に示すように、二箇所のクリップ止めで係止するようにしている。これは、係止力を高めるためである。
【００３９】
以上のような垂れ幕装置１による垂れ幕Ｔの展張方法等について第２実施例の場合を例にとって説明する。
昇降体４が下方に降下した状態で、垂れ幕Ｔの上端を垂れ幕上端保持機構７で保持した後、巻上げハンド８を装着部２０に装着してワイヤ１２を巻き上げる。
【００４０】
そして、昇降体４がある程度上昇すると、垂れ幕Ｔの下端を垂れ幕下端保持機構６で保持し、昇降体４を更に上昇させ垂れ幕Ｔを展張する。そして、各回動軸１０を回動させて支持部材１１を前方に突出させた状態にし、昇降体４の骨材１４を支持部材１１上に載置する。この際、必要に応じて回動軸１０下方の高さ調整機構２７により支持部材１１の高さを調整して、昇降体４が安定した状態で支持されるようにする。なお、これらの作業はすべて地上等から行うことができ、高所作業を伴わない。
【００４１】
そして、垂れ幕Ｔが展張されると、巻上げハンドル８を装着部２０から取り外し、巻き取られていたワイヤ１２をワイヤ収容部１３のパイプ内に押し込み、最後に、それまで取り外していた下方の化粧枠３０ｂ、３０ｃを取り付ける。すると、図１１に示すように、化粧枠３０の内側に垂れ幕Ｔが展張された状態ですっきりと纏まり、しかも垂れ幕Ｔの上端と下端の全域が上下に引っ張られてテンションがかかるため、見た目が良好である。
【００４２】
因みに、垂れ幕Ｔを回収する手順は次の通りである。
まず、化粧枠３０を取り外した後、ワイヤ収容部１３からワイヤ１２を取り出し、巻上げハンドル８を装着部２０に装着する。そして巻上げハンドル８を巻上げ回転させて昇降体４を僅かに上昇させ、回動軸１０を回転させて支持部材１１を後方に退避させる。その後、巻上げハンドル８を巻き下げて昇降体４を降下させる。そして降下の途中で垂れ幕下端保持機構６を開放した後、更に巻上げハンドルを巻き下げて昇降体４を降下させ、最後に垂れ幕上端保持機構７を開放して垂れ幕Ｔを回収する。以上のような要領により垂れ幕Ｔの展張、回収とも、地上から簡単に操作することができる。
【００４３】
なお、本考案は以上のような実施形態に限定されるものではない。本実用新案登録請求の範囲に記載した事項と実質的に同一の構成を有し、同一の作用効果を奏するものは本考案の技術的範囲に属する。例えば高さ調整機構２７の具体的構成等は例示である。
【産業上の利用可能性】
【００４４】
垂れ幕を展張する際、きれいに展張できるとともに、構成が簡素であり、しかも操作が簡単なため、例えばデパートにおける広告幕の展張等において広い利用が期待される。
【図面の簡単な説明】
【００４５】
【図１】本発明に係る垂れ幕装置の第１実施例の主要構成部品等を説明するための正面図
【図２】第１実施例の昇降体を本体から分離させた状態の説明図
【図３】第１実施例の昇降体の下端部を支持する支持部材の説明図
【図４】第１実施例の垂れ幕下端保持機構と垂れ幕上端保持機構及び回動軸に形成される高さ調整機構の説明図
【図５】高さ調整機構を改良した垂れ幕装置の第２実施例の正面図
【図６】第２実施例の高さ調整機構の要部拡大図で（ａ）は正面図、（ｂ）は側面図、（ｃ）は底面図
【図７】第２実施例の回動軸の下端部の説明図
【図８】第２実施例の高さ調整機構により回動軸を上方に移動させた場合の説明図
【図９】化粧枠の説明図
【図１０】化粧枠の説明図
【図１１】垂れ幕を展張した状態の正面図
【符号の説明】
【００４６】
１…垂れ幕装置、２…本体、４…昇降体、５…昇降機構、６…垂れ幕下端保持機構、７…垂れ幕上端保持機構、８…巻上げハンドル、１０…回動軸、１１…支持部材、１２…ワイヤ、１３…ワイヤ収容部、２４…棒状部材、２６…棒状部材、２７…高さ調整機構、３０…化粧枠、ｆ１、ｆ２…袋状部、ｍ１…下方溝、ｍ２…上方溝。
【図１】
0003137253.tif 000003
【図２】
0003137253.tif 000004
【図３】
0003137253.tif 000005
【図４】
0003137253.tif 000006
【図５】
0003137253.tif 000007
【図６】
0003137253.tif 000008
【図７】
0003137253.tif 000009
【図８】
0003137253.tif 000010
【図９】
0003137253.tif 000011
【図１０】
0003137253.tif 000012
【図１１】
0003137253.tif 000013